【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
画像データ及び音声データの少なくとも一つを送信する送信手段と、
所定のプロトコルに基づいて、外部装置からコマンドを受信する受信手段と、
画像データ及び音声データの少なくとも一つの送信に関する第１のエラーを検知するための処理を行う第１のエラー検知手段と、
前記所定のプロトコルに基づいて前記外部装置に関連する情報が検出された後に、コマンドの受信に関する第２のエラーを検知するための処理を行う第２のエラー検知手段と、
前記第１のエラーが検知されずに前記第２のエラーが検知された場合、前記送信手段をリセットすることなく前記受信手段をリセットするための制御を行う制御手段と
を有することを特徴とする通信装置。
【請求項２】
前記制御手段は、前記第２のエラーが検知されずに前記第１のエラーが検知された場合、前記受信手段をリセットすることなく前記送信手段をリセットするための制御を行うことを特徴とする請求項１に記載の通信装置。
【請求項３】
前記制御手段は、前記外部装置に関連する情報が検出されていない場合、前記受信手段の動作を制限することを特徴とする請求項１または２に記載の通信装置。
【請求項４】
前記外部装置に関連する情報が検出されていない場合、前記第２の検知ユニットは、前記第２のエラーを検知するための処理を行わないことを特徴とする請求項１から３のいずれか１項に記載の通信装置。
【請求項５】
前記制御手段は、前記外部装置から前記外部装置の能力を示す情報を前記外部装置から取得するための処理を行うことを特徴とする請求項１から４のいずれか１項に記載の通信装置。
【請求項６】
前記通信装置は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）規格に基づいて、前記外部装置と通信を行うことを特徴とする請求項１から５のいずれか１項に記載の通信装置。
【請求項７】
前記通信装置は、カメラ及び携帯電話の少なくとも一つを含むことを特徴とする請求項１から６のいずれか１項に記載の通信装置。
【請求項８】
前記制御手段は、前記受信手段によるコマンドの受信が行われていない状態で所定の時間が経過した場合、前記第２のエラーが検知されていない場合であっても、前記送信手段をリセットすることなく前記受信手段をリセットするための制御を行うことを特徴とする請求項１から７のいずれか１項に記載の通信装置。
【請求項９】
前記制御手段は、前記受信手段によるコマンドの受信が行われていない状態で所定の時間が経過するまでの間において、画像データ及び音声データの少なくとも一つが前記送信手段により前記外部装置に送信されている場合、前記受信手段をリセットするための制御を行わないようにすることを特徴とする請求項１から８のいずれか１項に記載の通信装置。
【請求項１０】
前記制御手段は、前記受信手段によるコマンドの受信が行われていない状態で所定の時間が経過するまでの間において、前記通信装置が所定のモードであることが検出された場合、前記受信手段をリセットするための制御を行わないようにすることを特徴とする請求項１から９のいずれか１項に記載の通信装置。
【請求項１１】
前記所定のモードは、再生モードと異なるモードであることを特徴とする請求項１０に記載の通信装置。
【請求項１２】
画像データ及び音声データの少なくとも一つの送信に関する第１のエラーを検知するための処理を行うステップと、
所定のプロトコルに基づいて外部装置に関連する情報が検出された後に、コマンドの受信に関する第２のエラーを検知するための処理を行うステップと、
前記第１のエラーが検知されずに前記第２のエラーが検知された場合、画像像データ及び音声データの少なくとも一つを送信するための送信手段をリセットすることなく、前記所定のプロトコルに基づいて前記外部装置からコマンドを受信するための受信手段をリセットするステップと
を有することを特徴とする制御方法。
【請求項１３】
画像データ及び音声データの少なくとも一つの送信に関する第１のエラーを検知するための処理を行うステップと、
所定のプロトコルに基づいて外部装置に関連する情報が検出された後に、コマンドの受信に関する第２のエラーを検知するための処理を行うステップと、
前記第１のエラーが検知されずに前記第２のエラーが検知された場合、画像像データ及び音声データの少なくとも一つを送信するための送信手段をリセットすることなく、前記所定のプロトコルに基づいて前記外部装置からコマンドを受信するための受信手段をリセットするステップと
をコンピュータに実行させるためのプログラム。
【請求項１４】
画像データ及び音声データの少なくとも一つを送信する第１の送信手段と、
所定のプロトコルに基づいて、外部装置にコマンドを送信する第２の送信手段と、
画像データ及び音声データの少なくとも一つの送信に関する第１のエラーを検知するための処理を行う第１のエラー検知手段と、
前記所定のプロトコルに基づいて前記外部装置に関連する情報が検出された後に、コマンドの送信に関する第２のエラーを検知するための処理を行う第２のエラー検知手段と、
前記第１のエラーが検知されずに前記第２のエラーが検知された場合、前記第１の送信手段をリセットすることなく前記第２の送信手段をリセットするための制御を行う制御手段と
を有することを特徴とする通信装置。
【請求項１５】
前記制御手段は、前記第２のエラーが検知されずに前記第１のエラーが検知された場合、前記第２の送信手段をリセットすることなく前記第１の送信手段をリセットするための制御を行うことを特徴とする請求項１４に記載の通信装置。
【請求項１６】
前記制御手段は、前記外部装置に関連する情報が検出されていない場合、前記第２の送信手段の動作を制限することを特徴とする請求項１４または１５に記載の通信装置。
【請求項１７】
前記外部装置に関連する情報が検出されていない場合、前記第２の検知ユニットは、前記第２のエラーを検知するための処理を行わないことを特徴とする請求項１４から１６のいずれか１項に記載の通信装置。
【請求項１８】
前記制御手段は、前記外部装置から前記外部装置の能力を示す情報を取得するための処理を行うことを特徴とする請求項１４から１７のいずれか１項に記載の通信装置。
【請求項１９】
前記通信装置は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）規格に基づいて、前記外部装置と通信を行うことを特徴とする請求項１４から１８のいずれか１項に記載の通信装置。
【請求項２０】
前記通信装置は、カメラ及び携帯電話の少なくとも一つを含むことを特徴とする請求項１４から１９のいずれか１項に記載の通信装置。
【請求項２１】
画像データ及び音声データの少なくとも一つの送信に関する第１のエラーを検知するための処理を行うステップと、
所定のプロトコルに基づいて外部装置に関連する情報が検出された後に、コマンドの送信に関する第２のエラーを検知するための処理を行うステップと、
前記第１のエラーが検知されずに前記第２のエラーが検知された場合、画像データ及び音声データの少なくとも一つを送信するための第１の送信手段をリセットすることなく、前記所定のプロトコルに基づいて前記外部装置にコマンドを送信するための第２の送信手段をリセットするステップと
を有することを特徴とする制御方法。
【請求項２２】
画像データ及び音声データの少なくとも一つの送信に関する第１のエラーを検知するための処理を行うステップと、
所定のプロトコルに基づいて外部装置に関連する情報が検出された後に、コマンドの送信に関する第２のエラーを検知するための処理を行うステップと、
前記第１のエラーが検知されずに前記第２のエラーが検知された場合、画像データ及び音声データの少なくとも一つを送信するための第１の送信手段をリセットすることなく、前記所定のプロトコルに基づいて前記外部装置にコマンドを送信するための第２の送信手段をリセットするステップと
をコンピュータに実行させるためのプログラム。
【請求項２３】
データを送信する送信手段と、
所定のプロトコルに基づいて、外部装置とコマンドによる通信を行う通信手段と、
データの送信に関する第１のエラーを検知するための処理を行う第１のエラー検知手段と、
コマンドによる通信に関する第２のエラーを検知するための処理を行う第２のエラー検知手段と、
前記第１のエラーが検知されずに前記第２のエラーが検知された場合、前記送信手段をリセットすることなく前記通信手段をリセットするための制御を行う制御手段と
を有し、
前記制御手段は、コマンドによる通信が行われていない状態で所定の時間が経過した場合、前記送信手段をリセットすることなく前記通信手段をリセットするための制御を行うことを特徴とする通信装置。
【請求項２４】
前記制御手段は、前記通信手段によるコマンドの受信が行われていない状態で所定の時間が経過するまでの間において、画像データ及び音声データの少なくとも一つが前記送信手段により前記外部装置に送信されている場合、前記通信手段をリセットするための制御を行わないようにすることを特徴とする請求項２３に記載の通信装置。
【請求項２５】
前記制御手段は、前記通信手段によるコマンドの受信が行われていない状態で所定の時間が経過するまでの間において、前記通信装置が所定のモードであることが検出された場合、前記通信手段をリセットするための制御を行わないようにすることを特徴とする請求項２３または２４に記載の通信装置。
【請求項２６】
前記所定のモードは、再生モードと異なるモードであることを特徴とする請求項２５に記載の通信装置。
【請求項２７】
前記制御手段は、前記外部装置から前記外部装置の能力を示す情報を取得するための処理を行うことを特徴とする請求項２３から２６のいずれか１項に記載の通信装置。
【請求項２８】
前記通信装置は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）規格に基づいて、前記外部装置と通信を行うことを特徴とする請求項２３から２７のいずれか１項に記載の通信装置。
【請求項２９】
前記通信装置は、カメラ及び携帯電話の少なくとも一つを含むことを特徴とする請求項２３から２８のいずれか１項に記載の通信装置。
【請求項３０】
データに関する第１のエラーを検知するための処理を行うステップと、
コマンドによる通信に関する第２のエラーを検知するための処理を行うステップと、
前記第１のエラーが検知されずに前記第２のエラーが検知された場合、データを送信するための送信手段をリセットすることなく、所定のプロトコルに基づいて外部装置とコマンドによる通信を行うための通信手段をリセットするための制御を行うステップと、
コマンドによる通信が行われていない状態で所定の時間が経過した場合、前記送信手段をリセットすることなく前記通信手段をリセットするための制御を行うステップと
を有することを特徴とする制御方法。
【請求項３１】
データに関する第１のエラーを検知するための処理を行うステップと、
コマンドによる通信に関する第２のエラーを検知するための処理を行うステップと、
前記第１のエラーが検知されずに前記第２のエラーが検知された場合、データを送信するための送信手段をリセットすることなく、所定のプロトコルに基づいて外部装置とコマンドによる通信を行うための通信手段をリセットするための制御を行うステップと、
コマンドによる通信が行われていない状態で所定の時間が経過した場合、前記送信手段をリセットすることなく前記通信手段をリセットするための制御を行うステップと
をコンピュータに実行させるためのプログラム。
【手続補正２】
【補正対象書類名】明細書
【補正対象項目名】０００９
【補正方法】変更
【補正の内容】
【０００９】
本発明に係る通信装置は、画像データ及び音声データの少なくとも一つを送信する送信手段と、所定のプロトコルに基づいて、外部装置からコマンドを受信する受信手段と、画像データ及び音声データの少なくとも一つの送信に関する第１のエラーを検知するための処理を行う第１のエラー検知手段と、前記所定のプロトコルに基づいて前記外部装置に関連する情報が検出された後に、コマンドの受信に関する第２のエラーを検知するための処理を行う第２のエラー検知手段と、前記第１のエラーが検知されずに前記第２のエラーが検知された場合、前記送信手段をリセットすることなく前記受信手段をリセットするための制御を行う制御手段とを有することを特徴とする。